(57)【特許請求の範囲】
【請求項１】
２本のロッド状支持フレームの間に布地を張架し、かつ前記各ロッド状支持フレームが一対の支持棒の一端をそれぞれ連結部材に回転可能に連結して前記連結部材部分で一方向にのみ折り曲げ可能にして成る折りたたみ式担架において、前記一対の支持棒の少なくとも相対向する端面に凹部を形成すると共に、一方の支持棒の凹部に軸方向に摺動可能で他方の支持棒の凹部に向けて突出可能なロック部材を備え、前記支持棒をそれぞれ連結部材を中心に回転させて一直線上に延ばしたときに前記ロック部材を突出させて前記他方の支持棒の凹部に挿入し両支持棒間に前記ロック部材を跨らせて配置することにより前記２本の支持棒を一体化してロッド状支持フレームを構成することを特徴とする折りたたみ式担架。
【請求項２】
前記一方の支持棒の周面に軸方向へ延びる長孔を設け、該長孔を貫通して前記ロック部材につまみを備え、前記つまみを操作することによって前記ロック部材を摺動させることを特徴とする請求項１記載の折りたたみ式担架。
【請求項３】
前記長孔の前記端面の凹部寄りの先端側に周方向へ前記つまみを方向転換させる切欠き溝を設け、前記つまみを該切り欠き溝に装入することにより前記ロック部材の軸方向への摺動を拘束するようにしていることを特徴とする請求項２記載の折りたたみ式担架。
【請求項４】
前記他方の支持棒の端部開口にはその内部を摺動可能でかつ非ロック時に該端部を塞ぐ蓋部材が設けられ、該蓋部材は内蔵する付勢手段によって前記一方の支持棒側へ常時付勢されていることを特徴とする請求項１から３のいずれかに記載の折りたたみ式担架。
【請求項５】
前記２本のロッド状支持フレーム同士は、折り畳み可能な横連結フレームによって前記一対の支持棒毎に連結され、かつ前記横連結フレームが前記ロッド状支持フレームを一直線状に延ばした状態では互いに同じ向きに折れ曲がると共に前記連結部材からそれぞれ異なる位置に配置されていることを特徴とする請求項１から４のいずれかに記載の折りたたみ式担架。
【請求項６】
前記ロッド状支持フレームには各支持棒毎に脚部が備えられ、かつその脚部の位置は一対の支持棒が連結部材部分で折れ曲がったときに互いにずれて配置されていることを特徴とする請求項１から５のいずれかに記載の折りたたみ式担架。
【発明の詳細な説明】
【０００１】
【発明の属する技術分野】
本発明は、折りたたみ式担架に関する。更に詳述すると、本発明は、折りたたみ式担架における折りたたみ構造の改良に関する。
【０００２】
【従来の技術】
使用しない時にコンパクトに格納することができる担架１０１としては、例えば図８に示すようなパイプを２分割して縦方向へ分離可能としたものがある。この担架１０１ではその左右の２本のパイプ１０２，１０２がほぼ真ん中で分離可能な構造とされ、使用するときには一方のパイプ１０２の端部を他方のパイプ１０２の端部に差し込むようにして一体化するように設けられている。
【０００３】
このように分離可能とされた担架１０１は構造が簡単である一方、組立時にはパイプ１０２を差し込む手間がかかるという面を有しており、また担架使用時において差し込んだパイプ１０２が抜けないように一体的に固定するための抜け防止の機構も必要となっている。
【０００４】
このため、このような手間をなくすように、図９に示すようにパイプ１１２をほぼ真ん中で曲げることができるようにした折りたたみ式担架１１１も開発されている。この折りたたみ式担架１１１は、半分の長さに分割されたパイプ１１２ａ，１１２ｂを連結部材１１４にそれぞれ連結ピン１１３で取り付け、連結部材１１４を介してそれぞれのパイプ１１２ａ，１１２ｂが相互に回転自在に連結されている。したがって、使用しない時には真ん中の連結部材１１４からパイプ１１２ａ，１１２ｂを折り曲げることによってコンパクトにでき、パイプ１１２ａ，１１２ｂが一直線となるように延ばすだけで担架１１１として使用可能な状態にでき、パイプを差し込んだりする手間がかからない。
【０００５】
【発明が解決しようとする課題】
しかしながら、このように折りたたみ可能とされた担架１１１では、その折りたたみ構造によっては組立時や使用時に指を挟んでしまうなどのおそれが生ずる問題がある。例えば、一対のパイプ１１２ａ，１１２ｂを連結部材１１４部分で一方向にのみ折り曲げ可能に連結しているため、パイプ１１２の両端のグリップ１１５，１１５を握って２人で担架を持てばパイプ１１２は一直線状に保たれるが、真ん中の連結部分１１４を掴んで他の者が持ち上げようとすると当該連結部材１１４部分でパイプ１１２が曲がって指を挟んでしまうおそれがある。
【０００６】
そこで、本発明は、コンパクトに折り畳み可能であると共に組み立てや折りたたみが容易であり、かつ使用時や折り畳み時に指が挟まれたりすることのない折りたたみ式担架を提供することを目的とする。
【０００７】
【課題を解決するための手段】
かかる目的を達成するため、請求項１記載の発明は、２本のロッド状支持フレームの間に布地を張架し、かつ各ロッド状支持フレームが一対の支持棒の一端をそれぞれ連結部材に回転可能に連結して連結部材部分で一方向にのみ折り曲げ可能にして成る折りたたみ式担架において、一対の支持棒の少なくとも相対向する端面に凹部を形成すると共に、一方の支持棒の凹部に軸方向に摺動可能で他方の支持棒の凹部に向けて突出可能なロック部材を備え、支持棒をそれぞれ連結部材を中心に回転させて一直線上に延ばしたときにロック部材を突出させて他方の支持棒の凹部に挿入し両支持棒間にロック部材を跨らせて配置することにより２本の支持棒を一体化してロッド状支持フレームを構成するようにしている。
【０００８】
この場合、ロック部材が他方の支持棒の凹部に装入されず自らの支持棒の凹部内に収まっている非ロック位置にあるときにはそれぞれの支持棒は回動可能であるけれども、支持棒が一直線状となったところでロック部材を相手側の支持棒の凹部に挿入して係合させるロック位置に移すと、両支持棒はそれらの間に跨るロック部材のために直接連結されて一体化されるためもはや回動することができなくなる。このようなロック状態を維持することによりロッド状支持フレームを直線状に保ち、使用している間その形状を保つことができる。したがって、誤って連結部材を持ち上げてもロッド状支持フレームが折れ曲がることがない。
【０００９】
また、請求項２記載の発明は、請求項１記載の折りたたみ式担架において、一方の支持棒の周面に軸方向へ延びる長孔を設け、該長孔を貫通してロック部材につまみを備え、つまみを操作することによってロック部材を摺動させるようにしている。この場合、つまみの操作によって容易にロック部材を支持棒の凹部から出入りさせ得る。
【００１０】
また、請求項３記載の発明は、請求項２記載の折りたたみ式担架において、長孔の端面の凹部寄りの先端側に周方向へつまみを方向転換させる切欠き溝を設け、つまみを該切り欠き溝に装入することによりロック部材の軸方向への摺動を拘束するようにしている。この場合、ロック部材を両支持棒間に跨らせるように配置した状態でつまみを切り欠き溝に滑らせることにより、ロック部材の軸方向への動きを拘束できる。しかも、ロック解除には、ロック部材を周方向に回転させてから軸方向へスライドさせるという２動作を順次とらなければならないため不用意にロックが外れることがない。
【００１１】
また、請求項４記載の発明は、請求項１から３のいずれかに記載の折りたたみ式担架において、他方の支持棒の端部開口にはその内部を摺動可能でかつ非ロック時に該端部を塞ぐ蓋部材が設けられ、該蓋部材は内蔵する付勢手段によって一方の支持棒側へ常時付勢されている。したがって、担架を使用しない時には蓋部材が他方の支持棒の端部開口を塞いで指などを誤って装入することを防ぎ、担架を使用する時にはロック部材の侵入を許容する。しかも、ロック部材の固定を解除すれば、蓋部材の元位置への復帰によってロック部材が押し返されて凹部から押し出されるため、自動的にロック部材の取り外しが行われる。
【００１２】
また、請求項５記載の発明は、請求項１から４のいずれかに記載の折りたたみ式担架において、２本のロッド状支持フレーム同士が、折り畳み可能な横連結フレームによって一対の支持棒毎に連結され、かつ横連結フレームがロッド状支持フレームを一直線状に延ばした状態では互いに同じ向きに折れ曲がると共に連結部材からそれぞれ異なる位置に配置されるようにしている。この場合、横連結フレームを折り曲げると共にロッド状支持フレームを折りたためば、担架を長さ方向だけでなく幅方向にも折り畳めてコンパクトにできる。しかも、折り曲げられた横連結フレームが互いに逆方向を向くこととなるので、これらが干渉することがなく最小容積で収納することができる。
【００１３】
更に、請求項６記載の発明は、請求項１から５のいずれかに記載の折りたたみ式担架において、ロッド状支持フレームには各支持棒毎に脚部が備えられ、かつその脚部の位置は一対の支持棒が連結部材部分で折れ曲がったときに互いにずれて配置されるようにしている。この場合、担架を折りたたんだ時に、折り曲げられたロッド状支持フレームの間で互いに脚部が向き合う際に、これらが干渉することがなく最小容積で収納することができる。
【００１４】
【発明の実施の形態】
以下、本発明の構成を図面に示す実施の形態の一例に基づいて詳細に説明する。
【００１５】
図１〜図７に、本発明の折りたたみ式担架１の一実施形態を示す。この折りたたみ式担架１は、図７に示すように、被搬送人を載せる布地等から成る載置部（以下、布部と呼ぶ）１８と、この布部１８の左右両側をそれぞれ支持する２本のロッド状支持フレーム２，２とを少なくとも備えて成るが、本実施形態の場合には左右のロッド状支持フレーム２，２を連結する横連結フレーム２０や布部１８を床から浮かすための脚部１５などが必要に応じて設けられている。
【００１６】
各ロッド状支持フレーム２は、図５に示すように、同じ長さの一対の支持棒３，４と、この支持棒３，４の一端をそれぞれ一方向にのみ折り曲げ可能に回転可能に連結する連結部材５とから少なくとも成り、連結部材５を中心に折り曲げたり延ばしたりできるように構成されている。支持棒３，４としては、担架として所望される強度を確保し得る限りにおいてその材質や大きさ等には特に限定されることはなく、例えば本実施形態の場合にはアルミパイプが用いられているが、それに限定されずスチールパイプや木製の棒等を採用しても良い。
【００１７】
これら支持棒３，４の少なくとも相対向する端面３ａ，４ａには、ロック部材６を組み込むための凹部３ｂ，４ｂが設けられている。本実施形態のように支持棒３，４としてパイプ材を使用すれば、その端部開口がそのまま凹部として利用できるので、別に凹部３ｂ，４ｂを形成する加工も別部材を用意する必要もなくなる利点を有している。また、木製の棒のような無垢の棒材を支持棒として使用する場合には、ロック部材６を収容する凹部を構成するための筒状の端部金具（図示省略）を取り付けたり、端部に穴開け加工を施すことによって凹部が形成されることとなる。
【００１８】
各支持棒３，４は、図１〜図３に示すように、その一端が例えばリベットから成る連結ピン１０で連結部材５に回転可能に連結され、各ピン１０，１０を回転中心としてそれぞれ揺動自在に設けられている。ここで、連結部材５は図４に示すように断面Ｕ形でかつその両端に支持棒の揺動を可能とするための円弧状の切り込み５ｂ，５ｂが図３に示すように設けられている。そして、各支持棒３，４と連結部材５とは、各支持棒３，４をそれぞれ連結ピン１０，１０を中心に回転させて連結部材５上で一直線上に延ばしたときに両端が干渉せずに適宜隙間を開けて相対向する位置関係を以て連結されている。このとき、一直線上に延ばされた一対の支持棒３，４は、連結ピン１０，１０から先の部分が連結部材５の底５ａに当接してその回動範囲が制限されることから、それぞれ一方向にのみ折り曲げ可能となる。尚、各支持棒３，４と連結部材５とを締結する手段としては上述のリベットに限られず例えばボルトとナットの組み合わせのような取り外し可能な締結手段を採用するようにしても良い。
【００１９】
一方の支持棒例えば支持棒３の端部の凹部３ｂには、これら支持棒３，４を直線状に固定するためのロック部材６が設けられている。ロック部材６は、図１や図２に示すように一方の支持棒３の凹部３ｂに軸方向へ摺動可能に収められる棒状部材であり、ロック状態（即ち、担架使用時で両支持棒３，４に跨るように配置された状態）にかかる曲げ応力に耐え得るものであれば中実でも中空でもよく、またその材質も特に限定されるものではない。尚、本実施形態におけるロック部材６は特に軸方向に付勢されず手動により任意に摺動可能とされているが、これに特に限定されず引っ張りばねや圧縮ばねなどの介在により常時引き込むかあるいは突出するように付勢するようにしても良い。また、このロック部材６の先端面の角取りをしたり一部テーパを設けたりすることは、他方の支持棒４の凹部４ｂへの挿入を容易とし、また使用者の指などに不意の怪我を負わす危険性を少なくするから好ましい処理である。
【００２０】
ロック部材６の後端、即ち回転中心となる連結ピン１０と当接する部位には、図１に示すような摺動溝６ｃが設けられている。この摺動溝６ｃは連結ピン１０と係合してロック部材６を軸方向へ摺動させる際のガイドとして機能すると共に当該ロック部材６が非ロック位置よりも更に奥に引き込むことがないように規制している。
【００２１】
またロック部材６にはつまみ９が設けられている。このつまみ９は、支持棒３の外から長孔７を貫通するようにして凹部３ｂに収容されているロック部材６にねじ込まれている。例えば、ロック部材６にねじ孔（図示省略）が設けられ、このねじ孔につまみ９の首下部分の雄ねじがねじ込まれることによって、つまみ９が取り付けられている。つまみ９はその首下部分を長孔７の縁に当てることでロック部材６の位置規制を行うようにしているが、場合によってはねじを締めることによりロック部材６とつまみ９とで支持棒３を挟み付けて固定するようにしても良い。つまみ９をねじ込むことによってロック部材６を固定する場合には、ロック位置や非ロック位置に限らず任意の位置でロック部材６を固定することができる。
【００２２】
支持棒３の周面に形成されている長孔７は、本実施形態の場合、ロック部材６のストローク長に相当する軸方向長さを有すると共にその先端即ち端面３ａ寄りの端部につまみ９を周方向へ方向転換させる切欠き溝８を備えている。即ち、長孔７と切り欠き溝８とで全体としてＬ形の溝を形成している。したがって、つまみ９を長孔７の先端まで移動させた後に切り欠き溝８に装入することにより、ロック部材６の軸方向への摺動を拘束して、ロック状態にあるロック部材６が不意に引っ込んでしまうような事態を避けることができる。なお、長孔７は折りたたみ式担架１の使用時につまみ９が図７のように上側に位置するように設けられており、つまみ９が連結部材５とは干渉することなく移動できるようになっている。
【００２３】
また、ロック部材６は非ロック位置においても軸方向に移動しないように設けられることが好ましい。例えば、切り欠き溝８と同様の周方向の切り欠き溝（図示省略）を長孔７の奥側端にも設け、ここにつまみ９を係合させて摺動不可能としたり、あるいは非ロック位置においてつまみ９を回して締め付けることによって動かないようにする方法などでも構わない。
【００２４】
他方の支持棒４の端部の凹部４ｂには、図２に示すように、凹部４ｂ内を摺動可能な蓋部材１３とこれを付勢する付勢手段１４が設けられている。蓋部材１３は支持棒４の内径よりも僅かに小径の底付き円筒形とされ、ロック部材が装入されるとき以外には支持棒４の端面と蓋部材１３の底とが面一となり凹部４ｂを塞ぐように付勢手段１４によって常時付勢されている。本実施形態ではこの付勢手段１４が自然長のときに蓋部材１３の表面が端面４ａとほぼ一致するように設けられているが、この蓋部材１３の周囲あるいは支持棒４の内部に蓋部材１３が端面４ａで止まるようにするための突起などを設けるようにしてもよい。このように支持棒４の端部の凹部４ｂが蓋部材１３によって塞がれることによって、外観の向上が図られると共にロック部材６を挿入させるときなどに指が挟まれたりする事故を未然に防ぐようにしている。また、このような状態の端面４ａにロック部材６が突き当てられると、蓋部材１３がロック部材６の端面６ａに押されながら後退して支持棒４の奥側へと移動することとなる。ここで、付勢手段１４のばね力は、蓋部材１３を端面４ａまで押し戻すだけの弱いものであってもよいし、蓋部材１３を介してロック部材６を非ロック位置まで押し戻すのに十分な程度の強いものであってもよい。
【００２５】
更に、布部１８の両側に配置される２本のロッド状支持フレーム２，２同士は、折り畳み可能な２組の横連結フレーム２０，２０によってそれぞれ一対の支持棒３，４毎に連結されている。横連結フレーム２０は、それぞれ図５に示すように、２本の連結棒２１，２１およびこれらを連結する１つのヒンジ部材２３によってトグル機構を構成するように設けられている。即ち、２本の連結棒２１の一端をそれぞれ支持棒３あるいは４に連結ピン２４で回転自在に取り付ける一方、各連結棒の他端をそれぞれヒンジ部材２３に連結ピン２２，２２で回転自在に連結し、両端のピン２２，２４を回転中心として各連結棒２１が揺動することによってトグル機構として機能するように設けられている。
【００２６】
本実施形態では、横連結フレーム２０を図５に実線で示す屈曲させた状態から２点鎖線で示す伸びた状態へと変化させるときに、死点（ヒンジ部材２３が左右の回転中心となる連結ピン２４，２４を結ぶ線の中点）を超えた位置で各連結棒２１，２１の先端が脚部１５あるいはヒンジ部材２３の壁面に突き当たってそれ以上揺動できなくなるように設けられている。したがって、左右に広がった状態の担架１にそれを閉じるような内側へ向かう力が加えられたとしても、反力の向きが逆でかつヒンジ部材２３との当接によってそれ以上連結棒が動きようがないため（セルフロック）、閉じてしまうようなことがない。なお、ヒンジ部材２３には図６に示すように取っ手２５が一体的に形成されており、これを引っ張ればヒンジ部材２３が死点を越えるため連結棒２１，２１が回動して横連結フレーム２０が屈曲・畳まれるようになっている。また連結棒２１，２１の外側の端部は図５に示すように支持棒３及び４に取り付けられ脚部１５を利用して回動可能に取り付けられている。この場合、脚部１５には支持棒３，４に対する連結棒２１の可動範囲を定め得る切り欠き溝が設けられており、連結棒２１の回動範囲の最大限を設定している。
【００２７】
この横連結フレーム２０，２０はロッド支持フレーム２，２を一直線状に延ばした状態では互いに同じ向きに折れ曲がるように、換言すればロッド状支持フレーム２，２を折り畳んだ状態では互いに逆向きに折れ曲がるように配置されている。しかも、その設置位置は連結部材５からそれぞれ異なる位置に配置され、ロッド状支持フレーム２，２を折り畳んだときに横連結フレーム２０同士が干渉することがないように設けられている。
【００２８】
また、横連結フレーム２０，２０は図７に示すように担架１の裏側面に配置され、尚かつ使用時に布部１８の上の人体が触れることのないよう下側へ膨らむように湾曲している。具体的には、連結棒２１，２１は図示するようにやや湾曲した形状とされ、連結ピン２２によってその端部同士をヒンジ部材２３にそれぞれ回動可能に連結している。
【００２９】
また、本実施形態における折りたたみ式担架１では図示するように４箇所に脚部１５が設けられ、使用中の担架１を地上などに置くときの便宜が図られている。この脚部１５は荷重に耐えるものであれば形状や取り付け方法などは特に限られず、例えば図７に示すように台形形状のアルミ型材などが採用されている。脚部１５は、例えば支持棒３，４にリベットを用いて固着したり、あるいは溶接などで固着されている。本実施形態において脚部１５は、図６に示すように担架１を折りたたんだときに脚部１５同士が干渉することのないよう連結部材５からの距離を異にして配置されている。
【００３０】
なお、左右のロッド状支持フレーム２，２の端部には担架１の持ち運びを容易にするため適宜グリップ１７が設けられている。本実施形態では握り易さなどに加え、折りたたまれた担架１が立て掛けられる際には図６に示すようにこのグリップ１７が下になることも多いと考えられるため、床面に傷を付けずかつ滑りにくいゴム製グリップ１７が用いられている。
【００３１】
また本実施形態では左右のロッド状支持フレーム２，２間において人体を保持する布部１８を形成する部材として例えば９号帆布などといったこれまでと同等あるいは同様の帆布が用いられている。帆布の両側はロッド状支持フレーム２，２を通すループを形成するため折り返されて縫いつけられているが、図５に示すように連結部材５の周囲ではこれを露出させるためループが形成されていない。なおこの担架１に併せて設けられている肩負紐（図示省略）は、担架１を折りたたんだときに開かないようにするため周囲に巻く固定紐としての利用も可能である。
【００３２】
以上のように構成された折りたたみ式担架１によると、次ぎのようにして使用される。まず、折り畳まれた状態の左右のロッド状支持フレーム２，２をいっぱいに広げ、さらにロック部材６を他方の支持棒４の凹部４ｂに挿入して左右のロッド状支持フレーム２，２を一直線状にして固定する。次いで、横連結フレーム２０のヒンジ部材２３を停止位置まで押しこんであるいは引き出して、左右のロッド状支持フレーム２，２の間隔を一定幅に広げると共に相互に連結する。これによって必要十分な強度を備えた担架１とすることができる。この場合、一方の支持棒３と他方の支持棒４とは、これら両支持棒３，４をこれ以上動かないところまで回動させれば一直線状となるように設けられている。そこで、両支持棒３，４が一直線状となったところでロック部材６を摺動させれば他方の支持棒４の凹部４ｂにそのまま挿入することができる。このようにして左右のロッド状支持フレーム２，２が固定されると共につまみ９も動かないように固定されることから、担架１の使用中に不意にロックがはずれロッド状支持フレーム２の中央で折れ曲がってしまうようなことがない。またヒンジ部材２３が死点を越えて停止する位置まで移動しているので、このヒンジ部材２３および両側の支持棒３，４が動いて担架１が使用中に閉じてしまうようなこともない。
【００３３】
一方、担架１を折りたたむには、まず担架１の裏側の２箇所の横連結フレーム２０のヒンジ部材２３をその取っ手２５を掴んで引くようにしてあるいは押し込んで移動させる。ヒンジ部材２３の移動によって両側の連結棒２１，２１間の角度が小さくなり、これに伴って左右のロッド状支持フレーム２，２の幅が狭まっていく。そしてロック部材６を動かないようにしているつまみ９を弛め、このつまみ９が切り欠き溝８に位置する場合にはこれを長孔７まで戻し、さらにつまみ９を長孔７に沿って移動させロック部材６を引っ込ませる。これによってロック部材６が他方の支持棒４の凹部４ｂから引き抜かれ、支持棒３，４同士の係合が解かれるので、あとは左右のロッド状支持フレーム２，２をその中央すなわち連結部材５において折り曲げるようにして担架１を折りたためば良い。折りたたまれた担架１は、図６に示すように使用時に比べて長さが約半分となり、またその幅については使用時の数分の１にまでコンパクトになる。
【００３４】
以上のように構成された折りたたみ式担架１では比較的簡単な構造でありながら必要十分な強度が確保され、また摺動するロック部材６が用いられているので折りたたみなどに要する動作が少なく簡単である。しかもこのロック部材６で支持棒３，４同士を一直線状に固定したならばこのロック部材６が移動しないようにつまみ９を固定させることができるので、使用中の担架１が不意に折れ曲がったりせず、したがって使用中に指が挟まれるような不測の事態も生じることがない。またロック部材６自体の構成は簡単なものであり、このロック部材６を摺動させるときに指を挟むようなこともなく、高い安全性が確保されている。
【００３５】
なお、上述の実施形態は本発明の好適な実施の一例ではあるがこれに限定されるものではなく本発明の要旨を逸脱しない範囲において種々変形実施可能である。例えば本実施形態ではロック部材６そのものに付勢手段を特に設けていないが、場合によってはロック部材６とそれを収める支持棒３との間にロック部材６を突出あるいは引き込む方向へ常時付勢するばねなどを設けるようにしてもよい。例えば一方の支持棒３の内部に圧縮コイルばねを設ければロック部材６を突出させる方向へ常時付勢することができるし、逆に引張ばねを設ければ引っ込ませる方向へ常時付勢することもできる。こうすることにより、ロック部材６を手動で摺動させるまでもなく付勢力で所定位置（ロック位置または非ロック位置）に戻させることが可能である。ロック部材６をロック位置側に付勢した場合にはロック部材６を他方の支持棒４の凹部４ｂに挿入したままロック状態を保持し易くなるし、逆に非ロック位置側に付勢した場合には担架１の非使用時においてロック部材６を常に一方の支持棒３内に位置させておくことができる。
【００３６】
また、本実施形態において長孔７の先端に設けられた周方向の切り欠き溝８は、つまみ９を係合させロック部材６が軸方向へ動かないようにするためのものであるから、つまみ９を係合させ得れば形状は特にこれに限られないことはいうまでもなく、例えば図示していないがレ形やＪ形ととすることもできる。ここで、ロック部材６が上述したように引張ばねなどにより引っ込む方向へ付勢されているときには、このロック部材６を一旦突出させた後につまみ９をこの切り欠き溝８に引っかけるようにすればロック部材６をこの状態のままで保持することが可能となる。また、長孔７と切り欠き溝８との境を括らせることによりつまみ９がここを移動するときに抵抗を与えるようにすることもできる。これによれば、つまみ９を回して締めたりしなくてもこのつまみ９が切り欠き溝８から長孔７に容易に戻ってしまうことがない。
【００３７】
【発明の効果】
以上の説明より明らかなように、請求項１記載の発明の折りたたみ式担架によると、ロッド状支持フレームが延ばされて一直線上にあるときにロック部材が両支持棒の間に跨るように配置されて一対の支持棒を載荷重に対して一体化するので、担架としての必要十分な強度を備え、かつ使用中に連結部材付近を持ち上げても折れ曲がって指などが挟まれることがない。しかも、ロック部材をスライドさせるだけで固定関係が解除されるため、担架の組み立てや折りたたみが容易である。
【００３８】
また請求項２記載の発明の折りたたみ式担架によると、支持棒をロックさせるための操作が容易である。
【００３９】
さらに請求項３記載の発明の折りたたみ式担架によれば、長孔に周方向への切り欠き溝を設けてＬ形としているので、つまみを該切り欠き溝に位置させてロック部材が軸方向へ摺動しないようにすることができる。したがって、ロック部材が不意に引っ込んでしまうようなことがなく、使用時の担架が折れ曲がったりしない。
【００４０】
また請求項４記載の発明の折りたたみ式担架によると、担架を使用する時にはロック部材の凹部への侵入を許容するが、担架を使用しない時には蓋部材が他方の支持棒の端部の凹部を塞いで指などの誤った装入を防ぐことができる。しかも、ロック部材の固定を解除すれば、蓋部材の元位置への復帰によってロック部材が押し返されて凹部から押し出されるため、自動的にロック部材の取り外しが行われる。
【００４１】
さらに請求項５記載の発明の折りたたみ式担架によると、横連結フレームを折り曲げると共にロッド状支持フレームを折りたためば、担架を長さ方向だけでなく幅方向にも折り畳めてコンパクトにできる。しかも、折り曲げられた横連結フレームが互いに逆方向を向くこととなるので、これらが干渉することがなく最小容積で収納することができる。
【００４２】
更に、請求項６記載の発明の折りたたみ式担架によると、担架を折りたたんだ時に、折り曲げられたロッド状支持フレームの間で互いに脚部が向き合う際に、これらが干渉することがなく最小容積で収納することができる。
【図面の簡単な説明】
【図１】本発明の折りたたみ式担架の連結部材周辺の構造を示す縦断面図で、ロック部材とつまみの位置を切り欠き溝に挿入される直前の状態で示している。
【図２】連結部材周辺の構造を示す図１の平面図である。
【図３】連結部材周辺の構造を示す図１の底面図である。
【図４】図１においてロック部材が非ロック位置にあるときのIV−IV線における断面図である。
【図５】本発明の折りたたみ式担架の全体図であり、幅方向に開いている状態とたたまれた状態とを裏側からみた様子で示す。
【図６】布部の設けられていない担架が折りたたまれた様子を示す側面図である。
【図７】担架を図５の上側からみた様子を示す図である。
【図８】従来の分離可能担架を示す平面図である。
【図９】従来の折りたたみ式担架を示す側面図である。
【符号の説明】
１  折りたたみ式担架
２  ロッド状支持フレーム
３  一方の支持棒
３ｂ  端部の凹部
４  他方の支持棒
４ｂ  端部の凹部
５  連結部材
６  ロック部材
７  長孔
８  切り欠き溝
９  つまみ
１３  蓋部材
１４  付勢手段
１８  布部
【図１】
0004116699.tif 000002
【図２】
0004116699.tif 000003
【図３】
0004116699.tif 000004
【図４】
0004116699.tif 000005
【図５】
0004116699.tif 000006
【図６】
0004116699.tif 000007
【図７】
0004116699.tif 000008
【図８】
0004116699.tif 000009
【図９】
0004116699.tif 000010